(57)【要約】【課題】フロアークライミング工法を採用する場合に、構築する建物が鉄筋コンクリート（ＲＣ）造であっても最上階のコンクリートの打設後間もなく旋回体のクライミングを実施でき、鉄筋コンクリート（ＲＣ）造の建物構築においてフロアークライミング工法を採用しても施工性が低下することのないクライミングタワークレーンの支持方法を得る。【解決手段】構築しようとする建物の躯体１の最上階のプレキャストコンクリート（ＰＣ）柱１０の柱頭に旋回体受け架台９を盛り替え可能に固定し、クライミング時にクライミングタワークレーンの旋回体３を前記旋回体受け架台９にあずけ、この状態でマスト５をクライミングし、その後、マスト５にそって旋回体３をクライミングする。【選択図】      図１
2004250144.tif 000002
【特許請求の範囲】
【請求項１】
構築しようとする建物の躯体の最上階のプレキャストコンクリート（ＰＣ）柱の柱頭に旋回体受け架台を盛り替え可能に固定し、クライミング時にクライミングタワークレーンの旋回体を前記旋回体受け架台にあずけ、この状態でマストをクライミングし、その後、マストにそって旋回体をクライミングすることを特徴とするクライミングタワークレーンの支持方法。
【請求項２】
旋回体受け架台はクライミングタワークレーン本体の荷重が柱頭に垂直にかかるように、柱頭に立設した請求項１に記載のクライミングタワークレーンの支持方法。
【発明の詳細な説明】
【０００１】
【発明の属する技術分野】
本発明は、例えば超高層ビルなどの建物の構築に使用するクライミングタワークレーンの支持方法に関するものである。
【０００２】
【従来の技術】
超高層建物や高層建物などの建設工事においてはクライミングタワークレーンを使用して、該クレーンにより建設資材を揚重し、クレーンを上昇させて建物の複数のフロアを順次上方に構築する。
【０００３】
このタワークレーンをクライミングさせる方法には、従来周知のフロアークライミング工法がある。（例えば、特許文献１参照。）これは、図１１に示すように、構築中の建物の躯体１の、工事が完了した最上階２の梁に、クライミングタワークレーンの本体である旋回体３の旋回体受け梁４を仮設し、この旋回体受け梁４に旋回体３をあずけ、該旋回体３に取り付けてある上部昇降フレームを旋回体受け梁４に固定する（図１１（ａ）の状態）。
【０００４】
この状態では、マスト５の下部に取り付けてあるベース架台６はアンカーボルトで下層階の架台受け梁７に固定されている。
【０００５】
次に、図１１（ｂ）に示すようにマスト５およびベース架台６をクライミングする。この工程は、ベース架台６を固定していたアンカーボルトを外し、昇降装置でマスト５をつかみ、油圧シリンダにより尺とり虫方式でマスト５およびベース架台６を引き上げる。このとき、ベース架台６の脚部は折り畳んで、躯体１に形成したマスト引き上げ用の開口８内を上昇できるようにする。
【０００６】
所定階までマスト５およびベース架台６を引き上げたならば、この階に架台受け梁７を設置する（図１１（ｃ）の状態）。これにより、マスト５と旋回体３で構成されるクライミングタワークレーンのうちの、マスト５の部分のクライミングが終了し、次に旋回体３の部分のクライミングを行う。
【０００７】
旋回体３の部分のクライミングは、図１１（ｄ）に示すように、所定の上層階まで引き上げたベース架台６を架台受け梁７に設置し、上層階に盛り替えて、ボルトで固定した後、旋回体受け梁４への旋回体３の固定を解除し、昇降装置によってマスト５にそって旋回体３を引き上げる。この旋回体３の引き上げも、マスト５の場合と同様に油圧シリンダにより尺とり虫方式で行う。
【０００８】
このようにしてマスト５と旋回体３を上昇させたならば、さらにその上層階を構築し、躯体１の構築進行に合わせてクライミングタワークレーンを引き上げていく。
【０００９】
【特許文献１】
特開２００１−１０７８０号公報（第１〜２頁、図１１）
【００１０】
【発明が解決しようとする課題】
フロアークライミング工法では前記のように最上階２の躯体１の梁に旋回体３をあずけてマスト５を引き上げる方式であるため、構築する建物が鉄骨鉄筋コンクリート（ＳＲＣ）造の場合は旋回体３を支持するだけの強度を構築完了直後の最上階２でも得られるが、構築する建物が鉄筋コンクリート（ＲＣ）造の場合は、最上階２の打設コンクリートの強度が発現するまでに約１ヶ月程度の期間を要するため、その間、クライミングタワークレーンの引き上げが行えなくなり、施工に支障をきたす。
【００１１】
かかる不都合を解消するには、クライミングタワークレーンを引き上げる方式として、マストクライミング工法を採用することも考えられるが、高層建物の構築において、内部設置式のマストクライミング工法では、仮設開口の長期化による工程への影響が大き過ぎ、また、建物外部に設置する方式ではクレーン効率がよくない。
【００１２】
本発明の目的は前記従来例の不都合を解消し、フロアークライミング工法を採用する場合に、構築する建物が鉄筋コンクリート（ＲＣ）造であっても最上階のコンクリートの打設後間もなく旋回体のクライミングを実施でき、鉄筋コンクリート（ＲＣ）造の建物構築においてフロアークライミング工法を採用しても施工性が低下することのないクライミングタワークレーンの支持方法を提供することにある。
【００１３】
【課題を解決するための手段】
本発明は前記目的を達成するため、第１に、構築しようとする建物の躯体の最上階のプレキャストコンクリート（ＰＣ）柱の柱頭に旋回体受け架台を盛り替え可能に固定し、クライミング時にクライミングタワークレーンの旋回体を前記旋回体受け架台にあずけ、この状態でマストをクライミングし、その後、マストにそって旋回体をクライミングすることを要旨とするものである。
【００１４】
第２に、旋回体受け架台はクライミングタワークレーン本体の荷重が柱頭に垂直にかかるように、柱頭に立設したことを要旨とするものである。
【００１５】
請求項１記載の本発明によれば、建物躯体を鉄筋コンクリート（ＲＣ）造とする場合には、最上階であっても、プレキャストコンクリート（ＰＣ）柱の柱頭で旋回体受け架台の荷重を支持するから、打設コンクリートの強度が発現していなくても、クライミングタワークレーンのクライミングが可能となる。これにより、既製のクライミングタワークレーンを使用して鉄筋コンクリート（ＲＣ）造でのフロアークライミングが実施でき、施工性が向上する。そして、柱はプレキャストコンクリート（ＰＣ）柱であるから所定の強度を確実に得られる。
【００１６】
請求項２記載の本発明によれば、前記作用に加えて、クライミングタワークレーン本体の荷重は旋回体受け架台を介して柱頭に垂直にかかるから、十分な支持強度が得られる。
【００１７】
【発明の実施の形態】
以下、図面について本発明の実施の形態を詳細に説明する。図１〜図５は本発明のクライミングタワークレーンの支持方法のクライミングの工程を示す正面図で、本発明はフロアークライミング工法において実施されるものであり、図１１に示した従来例と同一の構成要素には同一の参照符号を付してある。図６〜図８について本発明の支持装置から説明すると、図中９はクライミングタワークレーンの本体である旋回体３を支持し、最上階に設置可能な旋回体受け架台を示す。
【００１８】
該旋回体受け架台９は、鋼材を使用し、対向する一対の受け梁９ａ，９ａと受け梁９ｂ，９ｂとを上下に位置させて井桁状に組み合わせボルトで固定したもので、下方に位置する受け梁９ａ，９ａを躯体１の柱１０の柱頭に立設する。
【００１９】
柱１０は、プレキャストコンクリート（ＰＣ）柱を使用し、その頭部に束１１を立設し、この束１１に前記受梁９ａ，９ａがボルトで固定される。
【００２０】
図１から図５において、１２は旋回体３やマスト５を引き上げるための昇降装置を示し、図示は省略するが上部昇降フレームを旋回体３に固定し、下部昇降フレームをカンヌキなどを利用する着脱装置を介してマスト５に着脱自在に係止し、上部昇降フレームと下部昇降フレームとを油圧ジャッキで連結した。
【００２１】
図中１３は、マスト５の下部のベース１４が支持されるベース受け架台を示す。
【００２２】
次に、かかる旋回体受け架台９を使用してクライミングタワークレーンをフロアークライミングする方法を図１〜図５および図９について説明する。まず、図９についてクライミングの概略から説明すると、図９（ａ）は、クライミングタワークレーンの設置時を示し、ベース１４が建物の躯体１の１階に設置され、建物の躯体は７階まで構築され、旋回体受け架台９は、最上階である７階に設置されて、該旋回体受け架台９で旋回体３が支持されている。
【００２３】
この状態から、さらに上の階を構築するには、図９（ｂ）に示すようにベース１４を４階まで引き上げここに設置して１回目のクライミングを行い、躯体１を１１階まで構築したならば、最上階である１１階に旋回体受け架台９を設置する。
【００２４】
次いで、図９（ｃ）に示すようにベース１４を８階まで引き上げここに設置して２回目のクライミングを行い、この状態で躯体１を１５階まで構築したならば、最上階である１５階に旋回体受け架台９を設置する。
【００２５】
さらに同様にして図９（ｄ）のように３回目のクライミングを行い、これを尺取り虫方式で繰り返して図１０に示すように所定の最上階まで構築する。
【００２６】
次に、図１〜図５について２回目のクライミングを例にとってクライミングの方法を詳細に説明する。図１の状態は、躯体１が１１階まで構築された状態でベース受け架台１３が４階に設置されてベース１４はここに支持されている。また、躯体１は１１階まで構築されている。
【００２７】
この状態で図２に示すように旋回体受け架台９を最上階である１１階に設置する。設置の方法は、施工済みの１１階の柱１０の柱頭に束１１を設置し、この束１１の上に旋回体受け架台９をボルトで固定する。次いで、図３に示すように旋回体３を下げてボルトで旋回体受け架台９に固定する。これにより、旋回体３の荷重は、該旋回体受け架台９を介して柱１０に垂直にかかり、柱１０で支持される。
【００２８】
このようにして旋回体３の荷重を柱１０で支持する状態で、さらに、ベース受け架台１３を４階に固定しているアンカーボルトを外して、ベース受け架台１３を上昇可能な状態とする。
【００２９】
そして、図４に示すように昇降装置１２でマスト５とベース１４を引き上げ、躯体１の８階にベース受け架台１３およびベース１４を固定する。こうしてマスト５とベース１４の引き上げが完了したならば、次に図５に示すように旋回体３を旋回体受け架台９から切り離し、旋回体３を昇降装置１２で引き上げる。
【００３０】
１１階の柱１０の柱頭に固定してあった旋回体受け架台９を撤去し、１１階より上の階の構築を開始する。
【００３１】
このようにして旋回体受け架台９および旋回体３の荷重を構築が完了した柱１０の頭部で支持するから、構築する躯体１がＲＣ造であっても最上階で支持できる。
【００３２】
【発明の効果】
以上述べたように本発明のクライミングタワークレーンの支持方法は、フロアークライミング工法を採用する場合に、構築する建物が鉄筋コンクリート（ＲＣ）造であっても、構築が完了した最上階の柱頭で旋回体を支持できるから、最上階のコンクリートの打設後間もなくマストを引き上げて旋回体のクライミングを実施でき、施工性が低下することのないものである。
【図面の簡単な説明】
【図１】本発明のクライミングタワークレーンの支持方法の実施形態を示すクライミングの第１工程を示す正面図である。
【図２】本発明のクライミングタワークレーンの支持方法の実施形態を示すクライミングの第２工程を示す正面図である。
【図３】本発明のクライミングタワークレーンの支持方法の実施形態を示すクライミングの第３工程を示す正面図である。
【図４】本発明のクライミングタワークレーンの支持方法の実施形態を示すクライミングの第４工程を示す正面図である。
【図５】本発明のクライミングタワークレーンの支持方法の実施形態を示すクライミングの第５工程を示す正面図である。
【図６】本発明のクライミングタワークレーンの支持方法で使用する旋回体受け架台の平面図である。
【図７】本発明のクライミングタワークレーンの支持方法で使用する旋回体受け架台の側面図である。
【図８】本発明のクライミングタワークレーンの支持方法で使用する旋回体受け架台の正面図である。
【図９】本発明のクライミングタワークレーンの支持方法の実施形態を示す全体工程の正面図である。
【図１０】本発明のクライミングタワークレーンの支持方法の実施形態を示す正面図である。
【図１１】フロアークライミング工法の工程を示す説明図である。
【符号の説明】
１…躯体                        ２…最上階
３…旋回体                      ４…旋回体受け梁
５…マスト                      ６…ベース架台
７…架台受け梁                  ８…開口
９…旋回体受け架台              １０…柱
９ａ、９ｂ…受け梁
１１…束                        １２…昇降装置
１３…ベース受け架台                      １４…ベース
【図１】
2004250144.tif 000003
【図２】
2004250144.tif 000004
【図３】
2004250144.tif 000005
【図４】
2004250144.tif 000006
【図５】
2004250144.tif 000007
【図６】
2004250144.tif 000008
【図７】
2004250144.tif 000009
【図８】
2004250144.tif 000010
【図９】
2004250144.tif 000011
【図１０】
2004250144.tif 000012
【図１１】
2004250144.tif 000013